(57)【要約】【課題】本発明は、効率的に消費電力を削減する原稿挿入型拡張機能付き大判デジタル複写機等の画像処理装置に関する。【解決手段】デジタル複写機１は、原稿読取機能部２０への原稿の挿入によって原稿を読み取るタイミング、書込用幅信号であるＦＧＡＴＥ信号によってＬＥＤヘッド３１が画像を書き込むタイミングに基づいて、原稿の読み取りや画像の書き込みに必要なときにのみ、システム制御部１１が、電源部１２から原稿読取機能部２０及び画像書込機能部３０へ電源を供給させる。したがって、デジタル複写機１全体として消費電力をより一層削減することができる。【選択図】          図１
2006217075.tif 000002
【特許請求の範囲】
【請求項１】
少なくとも、原稿を光学的に走査して当該原稿の画像を読み取る原稿読取手段及び当該原稿読取手段を駆動する駆動手段を備えた原稿読取機能部と、少なくとも、感光体に書込光を照射して静電潜像を形成する書込手段及び当該書込手段を駆動する書込駆動手段を備えた画像書込機能部と、前記原稿読取手段の読取位置方向への前記原稿の挿入を検出して検出信号を出力する原稿挿入検出手段と、前記原稿の前記原稿読取手段の読取位置の通過を検出して当該原稿の副走査方向の読取用幅信号を出力する原稿通過検出手段と、前記原稿通過検出手段からの前記読取用幅信号に基づいて書込用の副走査方向の書込用幅信号を出力する画像書込制御信号生成手段と、各部に電源を供給する電源部と、前記原稿挿入検出手段の出力する前記検出信号に基づいて前記電源部から前記原稿読取機能部への電源の供給／供給遮断を切り換える読取電源切換手段と、前記画像書込制御信号生成手段の出力する前記書込用幅信号に基づいて前記電源部から前記画像書込機能部への電源の供給／供給遮断を切り換える書込電源切換手段と、を備え、少なくとも前記原稿読取機能部で読み取った原稿の画像を前記画像書込機能部で画像の書き込みを行うコピーモードを有した画像処理装置であって、当該コピーモードにおいて、前記読取電源切換手段は、前記原稿挿入検出手段が前記原稿を検出して前記検出信号を出力している間のみ前記電源部から前記原稿読取機能部へ電源を供給し、前記書込電源切換手段は、前記画像書込制御信号生成手段が前記書込用幅信号を出力している間のみ前記電源部から前記画像書込機能部へ電源を供給することを特徴とする画像処理装置。
【請求項２】
前記画像処理装置は、外部装置との間で制御信号と画像データの授受を行う外部インタフェースと、当該外部インタフェースを介して前記外部装置から入力される前記制御信号に基づいて書込用の副走査方向の書込用幅信号を出力する外部画像書込制御信号生成手段と、を備え、動作モードとして、前記外部装置からの画像データに基づいて前記画像書込機能部で画像の書き込みを行うプリントモードと、前記原稿読取機能部で原稿を読み取って当該読み取った原稿の画像データを前記外部インタフェースから出力するスキャナモードと、を有し、前記スキャナモードにおいては、前記読取電源切換手段が、前記原稿挿入検出手段が前記原稿を検出して前記検出信号を出力している間のみ前記電源部から前記原稿読取機能部へ電源を供給し、前記プリントモードにおいては、前記書込電源切換手段が、前記外部画像書込制御信号生成手段が前記書込用幅信号を出力している間のみ前記電源部から前記画像書込機能部へ電源を供給することを特徴とする画像処理装置。
【請求項３】
前記画像処理装置は、前記動作モードとして、複数枚の原稿を連続して読み取って画像形成する連続コピーモード、複数枚の原稿を連続して読み取る連続スキャナモード及び複数枚の画像形成を連続して行う連続プリントモードを有し、当該連続コピーモード、当該連続スキャナモード、当該連続プリントモードにおいて、前記原稿挿入検出手段の検出結果、前記画像書込制御信号生成手段の出力する前記書込用幅信号、前記外部画像書込制御信号生成手段の出力する前記書込用幅信号を、前記連続コピー動作、前記連続スキャナ動作または前記連続プリント動作が終了するまで、遅延させる遅延手段を備えていることを特徴とする請求項１または請求項２記載の画像処理装置。
【発明の詳細な説明】
【技術分野】
【０００１】
本発明は、画像処理装置に関し、詳細には、効率的に消費電力を削減する原稿挿入型拡張機能付き大判デジタル複写機等の画像処理装置に関する。
【背景技術】
【０００２】
用紙サイズがＡ２、Ａ０等の幅広の画像形成を行う大判デジタル複写機は、その主な用途が、新聞、新聞広告、設計図面等の特殊用途であるが、Ａ２サイズやＡ０サイズ以下のサイズであるＡ３サイズやＡ４サイズの一般文書に対しても兼用で利用されている。
【０００３】
そして、大判デジタル複写機は、近年、各種拡張ユニットを追加することで、追加した拡張ユニットの機能を拡張することができ、複写機能だけでなく、原稿読取機能、外部機器からの画像データの転送を受けてのプリント機能等を行う。
【０００４】
このような大判デジタル複写機においても、近時、省エネルギー化が要望され、消費電力をいかにに削減するかが重要な課題となってきている。
【０００５】
そして、本出願人は、先に、画像読取装置内部が機能別に分割された複数の機能ブロックの組み合わせからなり、これらの機能ブロック毎に必要な電源を電源供給手段から供給するが、この電源供給手段の供給動作を、装置の状態に応じて制御する画像読取装置を提案している（特許文献１参照）。
【０００６】
【特許文献１】特開平１０−２８５３１０号公報
【発明の開示】
【発明が解決しようとする課題】
【０００７】
しかしながら、上記従来技術にあっては、具体的にどうのような動作状態でどのように電源の供給／供給停止を行うかが十分に明確化されて折らず、幅広の用紙に画像形成を行う大判デジタル複写機等の画像処理装置においては、各種機能動作部分が機能ブロック化されており、また、各種動作モードを有しており、これらの各種動作モードと機能ブロックとを考慮したより一層の消費電力の低減化が要望される。
【０００８】
そこで、本発明は、コピーモード、プリントモード、スキャナモードにおいて、原稿の挿入と原稿の通過、外部制御信号の入力等を検出して、コピーモード、プリントモード、スキャナモードで必要とするタイミングでのみ、原稿の読み取りに必要な電源及び画像の書き込みに必要な電源を供給することにより、全体として消費電力をより一層削減する画像処理装置を提供することを目的としている。
【課題を解決するための手段】
【０００９】
請求項１記載の発明の画像処理装置は、少なくとも、原稿を光学的に走査して当該原稿の画像を読み取る原稿読取手段及び当該原稿読取手段を駆動する駆動手段を備えた原稿読取機能部と、少なくとも、感光体に書込光を照射して静電潜像を形成する書込手段及び当該書込手段を駆動する書込駆動手段を備えた画像書込機能部と、前記原稿読取手段の読取位置方向への前記原稿の挿入を検出して検出信号を出力する原稿挿入検出手段と、前記原稿の前記原稿読取手段の読取位置の通過を検出して当該原稿の副走査方向の読取用幅信号を出力する原稿通過検出手段と、前記原稿通過検出手段からの前記読取用幅信号に基づいて書込用の副走査方向の書込用幅信号を出力する画像書込制御信号生成手段と、各部に電源を供給する電源部と、前記原稿挿入検出手段の出力する前記検出信号に基づいて前記電源部から前記原稿読取機能部への電源の供給／供給遮断を切り換える読取電源切換手段と、前記画像書込制御信号生成手段の出力する前記書込用幅信号に基づいて前記電源部から前記画像書込機能部への電源の供給／供給遮断を切り換える書込電源切換手段と、を備え、少なくとも前記原稿読取機能部で読み取った原稿の画像を前記画像書込機能部で画像の書き込みを行うコピーモードを有した画像処理装置であって、当該コピーモードにおいて、前記読取電源切換手段は、前記原稿挿入検出手段が前記原稿を検出して前記検出信号を出力している間のみ前記電源部から前記原稿読取機能部へ電源を供給し、前記書込電源切換手段は、前記画像書込制御信号生成手段が前記書込用幅信号を出力している間のみ前記電源部から前記画像書込機能部へ電源を供給することにより、上記目的を達成している。
【００１０】
この場合、例えば、請求項２に記載するように、前記画像処理装置は、外部装置との間で制御信号と画像データの授受を行う外部インタフェースと、当該外部インタフェースを介して前記外部装置から入力される前記制御信号に基づいて書込用の副走査方向の書込用幅信号を出力する外部画像書込制御信号生成手段と、を備え、動作モードとして、前記外部装置からの画像データに基づいて前記画像書込機能部で画像の書き込みを行うプリントモードと、前記原稿読取機能部で原稿を読み取って当該読み取った原稿の画像データを前記外部インタフェースから出力するスキャナモードと、を有し、前記スキャナモードにおいては、前記読取電源切換手段が、前記原稿挿入検出手段が前記原稿を検出して前記検出信号を出力している間のみ前記電源部から前記原稿読取機能部へ電源を供給し、前記プリントモードにおいては、前記書込電源切換手段が、前記外部画像書込制御信号生成手段が前記書込用幅信号を出力している間のみ前記電源部から前記画像書込機能部へ電源を供給してもよい。
【００１１】
また、例えば、請求項３に記載するように、前記画像処理装置は、前記動作モードとして、複数枚の原稿を連続して読み取って画像形成する連続コピーモード、複数枚の原稿を連続して読み取る連続スキャナモード及び複数枚の画像形成を連続して行う連続プリントモードを有し、当該連続コピーモード、当該連続スキャナモード、当該連続プリントモードにおいて、前記原稿挿入検出手段の検出結果、前記画像書込制御信号生成手段の出力する前記書込用幅信号、前記外部画像書込制御信号生成手段の出力する前記書込用幅信号を、前記連続コピー動作、前記連続スキャナ動作または前記連続プリント動作が終了するまで、遅延させる遅延手段を備えていてもよい。
【発明の効果】
【００１２】
本発明の画像処理装置によれば、原稿読取機能部の原稿読取手段への原稿の挿入によって原稿を読み取るタイミング、書込用幅信号によって書込手段が画像を書き込むタイミングに基づいて、当該原稿の読み取りや画像の書き込みに必要なときにのみ、電源を供給するので、画像処理装置全体として消費電力をより一層削減することができる。
【発明を実施するための最良の形態】
【００１３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１４】
図１〜図９は、本発明の画像処理装置の一実施例を示す図であり、図１は、本発明の画像処理装置の一実施例を適用したデジタル複写機１の全体ブロック構成図である。
【００１５】
図１において、デジタル複写機１は、大きく分けて制御機能部１０、原稿読取機能部２０及び画像書込機能部３０に分割されており、制御機能部１０は、システム制御部１１、電源部１２、画像処理部１３、画像メモリ部１４、操作部１５、ＩＯ部１６及び外部ＩＦ部１７等を備えている。
【００１６】
システム制御部１１は、操作部１５の設定内容に応じてデジタル複写機１の各部を制御してデジタル複写機１としての基本処理を実行するとともに、後述する省電力制御処理を実行する。
【００１７】
電源部１２は、外部商用電源を整流／電圧調整等して、必要な電圧・電流を生成して、デジタル複写機１の各部に供給する。
【００１８】
画像処理部１３は、システム制御部１の制御下で、画像データに対して必要な画像処理を施す。
【００１９】
画像メモリ部１４は、例えば、ハードディスクや大容量ＲＡＭ（Random Access Memory）等で構成され、原稿読取機能部２０で読み取った画像データや外部装置から受け取った画像データを格納する。
【００２０】
操作部１５は、デジタル複写機１に各種動作を行わせるのに必要な各種設定操作、例えば、コピー枚数、コピー濃度等の設定操作が行われるとともに、表示部を備え、各種動作情報を表示部に表示出力する。
【００２１】
ＩＯ部１６には、各種センサや各種モータ等の駆動部が接続され、ＩＯ部６は、当該センサや駆動部とシステム制御部１１の間の信号の授受を行う。
【００２２】
外部ＩＦ部（外部インタフェース）１７には、外部装置、例えば、パーソナルコンピュータやサーバ等が接続され、外部ＩＦ部１７は、システム制御部１１の制御下で、外部装置とシステム制御部１１との間の制御信号と画像データの授受を行う。
【００２３】
原稿読取機能部２０は、原稿読取手段であるＣＩＳ（密着イメージセンサ）２１と読取制御基板（駆動手段）２２等を備えており、システム制御部１１の制御下で、読取制御基板２２がＣＩＳ２１の動作を制御して、原稿に読取光を照射して、原稿で反射された反射光をＣＩＳ２１で光電変換することで、原稿の画像を読み取って、当該読み取った原稿の画像の画像データを読取制御基板２２から制御機能部１０の画像処理部１３に出力する。
【００２４】
すなわち、原稿読取機能部２０は、図２に示すように、原稿台２３上から原稿挿入口２３ａに挿入された原稿Ｇの画像を読み取るＣＩＳ２１が原稿Ｇの搬送面の下方に配設されており、ＣＩＳ２１の原稿搬送面の上部には、原稿押さえ板２４が設けられている。原稿読取機能部２０は、ＣＩＳ２１と原稿押さえ板２４を挟んでそれぞれ原稿搬送ローラ２５、２６が配設されており、原稿挿入口２３ａ部分には、当該原稿挿入口２３ａに挿入される原稿Ｇの先端を検出すると、Ｈｉ信号である原稿挿入センサ信号（検出信号）を出力する原稿挿入検出センサ（原稿挿入検出手段）２７が配設されている。また、上流側の原稿搬送ローラ２５とＣＩＳ２１との間には、原稿レジスト検出センサ２８（原稿通過検出手段）が配設されており、原稿レジスト検出センサ２８は、原稿Ｇの通過終了を検出して、当該原稿Ｇの副走査方向の読取用幅信号である原稿レジストセンサ信号を出力する。また、原稿読取機能部２０は、原稿搬送ローラ２５、２６を回転駆動する原稿モータ２９を備えている。
【００２５】
画像書込機能部３０は、ＬＥＤヘッド３１とＬＥＤヘッド３１の点灯駆動を制御する書込制御基板３２を備え、図２に示す電子写真方式の画像形成部４０の感光体４１へ静電潜像を書き込む。
【００２６】
すなわち、画像形成部４０は、図２に示すように、回転駆動される感光体４１を中心に、上記画像書込機能部３０、現像部４２及び転写部、帯電部、クリーニング部等が配設され、また、定着部４３や用紙Ｐを搬送する搬送経路を形成する複数の搬送ローラ４４とレジストローラ４５等が配設されている。
【００２７】
画像形成部４０は、帯電部で一様に帯電された感光体４１上に、画像書込機能部３０が画像読取部５で読み取った原稿の画像データや外部装置から送られてきた画像データに基づいて変調した書込光を照射して、静電潜像を形成する。画像形成部４０は、この静電潜像の形成された感光体４１に現像部４２からトナー（現像剤）を供給して現像し、感光体４１上のトナー画像を、用紙供給部５０から送り込まれて、搬送ローラ４４によって搬送され、さらに、レジストローラ４５によってタイミング調整された後、転写部と感光体４１との間に搬送されてくる用紙Ｐに転写して、トナー画像の転写の完了した用紙Ｐを定着部４３に搬送する。定着部４３は、例えば、定着温度に加熱された加熱ローラと加熱ローラに圧接されている加圧ローラを備え、これらの加熱ローラと加圧ローラを回転させて、トナー画像の転写された用紙を搬送しつつ加熱・加圧して定着させて、定着の完了した用紙を図示しない排紙トレイに送り出す。
【００２８】
そして、上記用紙供給部５０は、複数（図２では２つ）のロール紙Ｐ、用紙モータ５１、搬送ローラ５２及び用紙カッタ５３等を備えており、用紙モータ５１で搬送ローラ５２を回転させて、ロール紙Ｐを画像形成部４０に送り込むとともに、用紙カッタ５３適切な長さで位置で切断する。
【００２９】
このデジタル複写機１は、図３に示すように、本体筐体１ａの下部から上記記録紙供給部５０、画像形成部４０及び原稿読取機能部２０が順次設けられており、原稿読取機能部２０の上部に、上記操作部１５が設けられている。
【００３０】
操作部１５には、各種操作キー１５ａやディスプレイ１５ｂ等が設けられており、各種操作キー１５ａは、デジタル複写機１のコピー動作、スキャナ動作及びプリント動作等の各種動作の指示操作を行うのに使用され、ディスプレイ１５ｂは、操作キー１５ａから入力された指示命令の内容やデジタル複写機１からオペレータに通知する各種情報、例えば、デジタル複写機１の動作状態情報等を表示出力する。
【００３１】
原稿読取機能部２０には、その原稿挿入部２３ａにシート状の原稿Ｇが挿入され、上記原稿挿入検出センサ２７は、当該原稿挿入部２３ａに挿入される原稿Ｇを検出する。
【００３２】
そして、デジタル複写機１は、図４に示すように、システム制御部１１がその機能として、原稿読取機能部２０への電源のオンオフを切り換える読取電源切換部（読取電源切換手段）１１ａと、画像書込機能部３０への電源のオン／オフを切り換える書込電源切換部（書込電源切換手段）１１ｂと、を備えており、電源部１２から原稿読取機能部２０への電源は、システム制御部１１の読取電源切換部１１ａを介して供給され、また、電源部１２から画像書込機能部３０への電源は、システム制御部１１の書込電源切換部１１ｂを介して供給される。
【００３３】
システム制御部１１には、各種制御信号やセンサ信号等が入力されるが、特に、図４に示すように、原稿挿入検出センサ２７からの原稿挿入センサ信号（検出信号）、原稿レジスト検出センサ２８からの原稿レジストセンサ信号及び画像書込用の副走査方向の書込用幅信号（ＦＧＡＴＥ信号）等が入力される。この原稿挿入センサ信号は、原稿挿入検出センサ２７が原稿挿入口２３ａへの原稿Ｇの挿入を検出すると、図４に示すように、Ｈｉ（ハイ）となる信号であり、また、原稿レジストセンサ信号は、原稿Ｇの通過が終了したことを原稿レジスト検出センサ２８が検出すると、Ｌｏ（ロー）となる信号であり、さらに、書込用幅信号（ＦＧＡＴＥ信号）は、書込走査期間の間だけＨｉ（ハイ）となる信号である。
【００３４】
そして、システム制御部１１は、デジタル複写機１の動作モード及びこれらの原稿挿入センサ信号、原稿レジストセンサ信号と幅信号（ＦＧＡＴＥ信号）に基づいて、読取電源切換部１１ａ、書込電源切換部１１ｂのオン／オフ動作を切り換えて、電源部１２から原稿読取機能部２０への電源の供給／供給停止及び電源部１２から画像書込機能部３０への電源の供給／供給停止を制御する。
【００３５】
デジタル複写機１は、その動作モードとして、原稿読取機能部２０で読み取った原稿Ｇの画像を画像書込機能部３０で画像の書き込みを行うコピーモード、外部装置からの画像データに基づいて画像書込機能部３０で画像の書き込みを行うプリントモード、原稿読取機能部２０で原稿Ｇを読み取って当該読み取った原稿Ｇの画像データを外部ＩＦ部１７から出力するスキャナモード及び待機モード等の各動作モードを備えている。
【００３６】
次に、本実施例の作用を説明する。デジタル複写機１は、デジタル複写機１の動作モードに応じて各機能部、特に、原稿読取機能部２０と画像書込機能部３０への電源の供給／供給停止を制御する。
【００３７】
デジタル複写機１は、待機モードにおいて、システム制御部１１は、読取電源切換部１１ａによって電源部１２から原稿読取機能部２０への電源の供給を停止させ、書込電源切換部１１ｂによって電源部１２から画像書込機能部３０への電源の供給を停止させる。
【００３８】
まず、デジタル複写機１の動作モードがコピーモードのときの省電力制御処理について、図５に基づいて説明する。システム制御部１１は、デジタル複写機１の動作モードが上記待機モードからコピーモードに設定されると、図５に示すように、原稿台２３の原稿挿入口２３ａへの原稿Ｇの挿入を、例えば、操作部１５のディスプレイ１５ｂに原稿Ｇの挿入を促す旨のメッセージを表示する等によって促し（ステップＳ１０１）、次に、原稿挿入センサ２７が原稿Ｇの原稿挿入口２３ａへの挿入を検出したかを原稿挿入センサ２７からの原稿挿入センサ信号がＨｉ信号であるかでチェックして、原稿挿入センサ信号がＨｉ信号となったことを認識すると（ステップＳ１０２）、読取電源切換部１１ａによる電源部１２から原稿読取機能部２０への電源の供給を開始する（ステップＳ１０３）。
【００３９】
システム制御部１１は、同様に、原稿挿入口２３ａに挿入された原稿Ｇが上流側の原稿搬送ローラ２５とＣＩＳ２１との間に配設されている原稿レジスト検出センサ２８が原稿の先端を検出して、原稿レジストセンサ信号がＨｉ信号であるかチェックして（ステップＳ１０４）、原稿レジストセンサ信号がＨｉ信号となったことを認識すると、画像書込用の副走査方向の幅信号（ＦＧＡＴＥ信号）をＨｉ信号に切り換え、このＨｉ信号であるＦＧＡＴＥ信号によって書込電源切換部１１ｂによって電源部１２から画像書込機能部３０への電源の供給を開始する（ステップＳ１０５）。
【００４０】
その後、原稿Ｇが通過すると（ステップＳ１０６）、システム制御部１１は、原稿挿入センサ信号がＬｏ信号であるかチェックして、原稿挿入センサ信号がＬｏ信号となったことを認識すると（ステップＳ１０７）、原稿ＧがＣＩＳ２１の読取位置を通過を完了するタイミングで、読取電源切換部１１ａによって電源部１２から原稿読取機能部２０への電源の供給を停止させる（ステップＳ１０８）。
【００４１】
一方、システム制御部１１は、原稿レジストセンサ信号がＬｏ信号であるかチェックして、原稿レジストセンサ信号がＬｏ信号となったことを認識すると（ステップＳ１０９）、画像書込用の副走査方向の幅信号（ＦＧＡＴＥ信号）としてＬｏ信号を生成し（ステップＳ１１０）、このＬｏのＦＧＡＴＥ信号によって書込電源切換部１１ｂによって電源部１２から画像書込機能部３０への電源の供給を停止する（ステップＳ１１１）。
【００４２】
したがって、コピー動作の動作タイミングに合わせて、必要な電源を原稿読取機能部２０と画像書込機能部３０にそれぞれ供給し、電源の必要がなくなったタイミングで、原稿読取機能部２０と画像書込機能部３０への電源の供給を停止することができ、消費電力をより一層削減することができる。
【００４３】
すなわち、このコピーモードで上記省電力制御処理を実施すると、図６において、上記省電力制御処理を実施する前の電力消費量（図６（ａ））と比較して、図６（ｂ）に省電力制御処理を実施した後の電力消費量を示すように、大幅に消費電力を削減することができる。
【００４４】
次に、外部装置からのプリント要求に応じてプリント動作を行うプリンタモードのときの省電力制御処理について、図７に基づいて説明する。
【００４５】
システム制御部１１は、図７に示すように、デジタル複写機１の動作モードが上記待機モードにおいて、外部ＩＦ部１７からプリント要求を示す制御信号が入ってくると（ステップＳ２０１）、画像書込用の副走査方向の書込用幅信号（ＦＧＡＴＥ信号）としてＨｉ信号を生成し（ステップＳ２０２）、このＨｉのＦＧＡＴＥ信号によって書込電源切換部１１ｂによって電源部１２から画像書込機能部３０への電源の供給を開始する（ステップＳ２０３）。すなわち、システム制御部１１は、外部ＩＦ部１７を介して外部装置から入力される制御信号に基づいて書込用の副走査方向の書込用幅信号であるＦＧＡＴＥ信号を出力する外部画像書込制御信号生成手段として機能している。
【００４６】
その後、外部ＩＦ部１７を介して外部装置から画像データが送られてきて、画像書込動作を行い、当該外部ＩＦ部１７を介して外部装置からの画像データが終了した後、外部装置からの制御信号が終了すると（ステップＳ２０４）、システム制御部１１は、副走査方向の書込用幅信号（ＦＧＡＴＥ信号）としてＬｏ信号を生成し（ステップＳ２０５）、このＬｏ信号のＦＧＡＴＥ信号に基づいて書込電源切換部１１ｂによって電源部１２から画像書込機能部３０への電源の供給を停止する（ステップＳ２０６）。
【００４７】
したがって、プリント動作の動作タイミングに合わせて、必要な電源を画像書込機能部３０に供給し、電源の必要がなくなったタイミングで、画像書込機能部３０への電源の供給を停止することができ、消費電力をより一層削減することができる。
【００４８】
次に、スキャナモードのときの省電力制御処理について、図８に基づいて説明する。デジタル複写機１は、待機モードにおいて、デジタル複写機１の動作モードがコピーモードに設定されると、図８に示すように、原稿台２３の原稿挿入口２３ａへの原稿Ｇの挿入を促し（ステップＳ３０１）、次に、原稿挿入センサ２７が原稿Ｇの原稿挿入口２３ａへの挿入を検出したかを原稿挿入センサ２７からの原稿挿入センサ信号がＨｉ信号であるかでチェックして、原稿挿入センサ信号がＨｉ信号となったことを認識すると（ステップＳ３０２）、読取電源切換部１１ａによる電源部１２から原稿読取機能部２０への電源の供給を開始する（ステップＳ３０３）。
【００４９】
その後、原稿Ｇが通過すると（ステップＳ３０４）、システム制御部１１は、原稿挿入センサ信号がＬｏ信号であるかチェックして、原稿挿入センサ信号がＬｏ信号となったことを認識すると（ステップＳ３０５）、ＣＩＳ２１による読取位置を原稿Ｇの通過が完了するタイミングで、読取電源切換部１１ａによって電源部１２から原稿読取機能部２０への電源の供給を停止させる（ステップＳ３０６）。
【００５０】
したがって、スキャナ動作の動作タイミングに合わせて、必要な電源を原稿読取機能部２０に供給し、電源の必要がなくなったタイミングで、原稿読取機能部２０への電源の供給を停止することができ、消費電力をより一層削減することができる。
【００５１】
このように、本実施例のデジタル複写機１は、原稿読取機能部２０の原稿挿入口２３ａへの原稿Ｇの挿入によって原稿を読み取るタイミング、ＦＧＡＴＥ信号によってＬＥＤヘッド３１が画像を書き込むタイミングに基づいて、当該原稿Ｇの読み取りや画像の書き込みに必要なときにのみ、電源を供給している。
【００５２】
したがって、デジタル複写機１全体として消費電力をより一層削減することができる。  なお、上記実施例においては、１枚の原稿のコピー動作、１枚の原稿画像データのプリント動作及び１枚の原稿のスキャナ動作を行う場合の省電力処理について説明したが、２枚以上の原稿について上記動作を連続して行う場合の省電力処理においては、電源の供給のオン／オフが頻繁に繰りかえされるのを防止するために、例えば、図９に示すように、システム制御部１１の読取電源切換部１１ａへの原稿挿入センサ信号の入力にタイマ回路（遅延手段）１１ｃを設け、また、書込電源切換部１１ｂのＦＧＡＴＥ信号の入力にタイマ回路（遅延手段）１１ｄを設ける。そして、複数枚の原稿Ｇの読取動作が終了するまで、タイマ回路１１ｃによって、原稿挿入センサ信号が読取電源切換部１１ａに入力されるのを遅延させ、原稿挿入センサ信号が連続する原稿Ｇ毎に頻繁に入力されて、読取電源切換部１１ａが頻繁に原稿読取機能部２０への電源のオン／オフを繰り返し行うことを防止するとともに、連続する複数枚の原稿Ｇの読取処理が完了すると、タイマ回路１１ｃから原稿挿入センサ信号を読取電源切換部１１ａに入力して、電源部１２から原稿読取機能部２０への電源の供給を適切に遮断する。
【００５３】
また、複数枚の用紙Ｐへの画像形成を行うための画像書込動作が終了するまで、タイマ回路１１ｄによって、ＦＧＡＴＥ信号が書込電源切換部１１ｂに入力されるのを遅延させ、ＦＧＡＴＥ信号が連続する用紙Ｐ毎に頻繁に入力されて、書込電源切換部１１ｂが頻繁に画像書込機能部３０への電源のオン／オフを繰り返し行うことを防止するとともに、連続する複数枚の用紙Ｐの画像形成のための画像書込処理が完了すると、タイマ回路１１ｄからＦＧＡＴＥ信号を書込電源切換部１１ｂに入力して、電源部１２から画像書込機能部３０への電源の供給を適切に遮断することができる。
【００５４】
したがって、原稿読取機能部２０の素子及び画像書込機能部３０の素子への電源のオン／オフが頻繁に繰り返されてこれらの素子が受ける電気的ストレスによる劣化を防止することができるとともに、デジタル複写機１の利用性を向上させることができる。
【００５５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５６】
各機能部毎にブロック化されて、各機能部毎に電源の供給／遮断を行うことで消費電力の削減を行う複写装置、複合装置、特に大判複写機等の画像処理装置に適用することができる。
【図面の簡単な説明】
【００５７】
【図１】本発明の画像処理装置の一実施例を適用したデジタル複写機の全体ブロック構成図。
【図２】図１のデジタル複写機の正面概略構成図。
【図３】図１のデジタル複写機の外観斜視構成図。
【図４】図１の電源制御系のブロック構成図。
【図５】図１のデジタル複写機によるコピーモード時の省電力制御処理を示すフローチャート。
【図６】図５のコピーモード時の省電力制御処理での省電力効果の説明図。
【図７】図１のデジタル複写機によるプリンタモード時の省電力制御処理を示すフローチャート。
【図８】図１のデジタル複写機によるスキャナモード時の省電力制御処理を示すフローチャート。
【図９】連続読取・連続書込を行う場合の電源制御系のブロック構成図。
【符号の説明】
【００５８】
１  デジタル複写機
１０  制御機能部
１１  システム制御部
１１ａ  読取電源切換部
１１ｂ  書込電源切換部
１１ｃ、１１ｄ  タイマ回路
１２  電源部
１３  画像処理部
１４  画像メモリ部
１５  操作部
１５ａ  操作キー
１５ｂ  ディスプレイ
１６  ＩＯ部
１７  外部ＩＦ部
２０  原稿読取機能部
２１  ＣＩＳ（密着イメージセンサ）
２２  読取制御基板
２３  原稿台
２３ａ  原稿挿入口
２４  原稿押さえ板
２５、２６  原稿搬送ローラ
２７  原稿挿入検出センサ
２８  原稿レジスト検出センサ
２９  原稿モータ
３０  画像書込機能部
３１  ＬＥＤヘッド
３２  書込制御基板
４１  感光体
４２  現像部
４３  定着部
４４  搬送ローラ
４５  レジストローラ
５０  用紙供給部
５１  用紙モータ
５２  搬送ローラ
５３  用紙カッタ
Ｐ  用紙
Ｇ  原稿
【図１】
2006217075.tif 000003
【図２】
2006217075.tif 000004
【図３】
2006217075.tif 000005
【図４】
2006217075.tif 000006
【図５】
2006217075.tif 000007
【図６】
2006217075.tif 000008
【図７】
2006217075.tif 000009
【図８】
2006217075.tif 000010
【図９】
2006217075.tif 000011